(57)【要約】【課題】自動取引装置において、セキュリティの高い認証機能を保持しつつ、使い勝手を良好にすること。【解決手段】自動取引装置１は、カードに格納された情報の読み取りおよびカードへ情報の書き込みを行うカード部１８と、取引情報を入力する入力部１５と、生体情報を読み取る生体情報読取部２２と、カード部で読み取った情報、入力部２２より入力された取引情報、および生体情報読取部２２で読み取った生体情報に基づいて、生体情報認証処理および取引処理を行う制御部と、を備える。制御部は、生体情報読取部２２で読み取った生体情報を認証する手段と、認証された生体情報と入力部１５より入力された取引情報とを関連付けてカード部１８に出力する手段と、カード部１８で読み取られた生体情報に関連付けられた取引情報と生体情報読取部２２で読み取った生体情報とに基づいて取引処理を行う手段とを備える。【選択図】図１
2007025826.tif 000002
【特許請求の範囲】
【請求項１】
カードに格納された情報の読み取りおよびカードへ情報の書き込みを行うカード部と、
取引情報を入力する入力部と、
生体情報を読み取る生体情報読取部と、
前記カード部で読み取った情報、前記入力部より入力された取引情報、および前記生体情報読取部で読み取った生体情報に基づいて、生体情報認証処理および取引処理を行う制御部と、を備える自動取引装置であって、
前記制御部は、前記生体情報読取部で読み取った生体情報を認証する手段と、前記カード部で読み取られた前記生体情報に関連付けられた取引情報と前記生体情報読取部で読み取った生体情報とに基づいて取引処理を行う手段とを備える
ことを特徴とする自動取引装置。
【請求項２】
前記制御部は、前記認証された生体情報と前記入力部より入力された取引情報とを関連付けて前記カード部に出力する手段をさらに有することを特徴とする請求項１に記載の自動取引装置。
【請求項３】
請求項１または２に記載の自動取引装置において、生体情報読取部は指静脈情報を読み取るものであり、前記制御部は前記生体情報読取部で読み取った指静脈情報に基づいて指静脈情報認証および取引処理を行うものであることを特徴とする自動取引装置。
【請求項４】
請求項３に記載の自動取引装置において、前記制御部は、前記生体情報読取部で読み取った複数の指静脈情報のそれぞれに、前記入力部より入力された複数の取引情報を関連付けて、前記カード部に出力する手段を備えることを特徴とする自動取引装置。
【請求項５】
カードに格納された情報の読み取りおよびカードへ情報の書き込みを行うカード部と、
取引情報を入力する入力部と、
生体情報を読み取る生体情報読取部と、
前記カード部で読み取った情報、前記入力部より入力された取引情報、および前記生体情報読取部で読み取った生体情報に基づいて、生体情報認証処理および情報登録処理を行う制御部と、を備える情報登録端末であって、
前記制御部は、前記生体情報読取部で読み取った生体情報を認証する手段と、前記認証された生体情報と前記入力部より入力された取引情報とを関連付けて前記カード部に出力し、前記生体情報と前記取引情報とを関連付けて登録する手段とを備える
ことを特徴とする情報登録端末。
【発明の詳細な説明】
【技術分野】
【０００１】
本発明は、自動取引装置に係り、特に生体認証機能を備えた自動取引装置に好適なものである。
【背景技術】
【０００２】
従来の自動取引装置に用いる磁気カードやＩＣカードの認証用として暗証番号が広く普及している。近年、遺失や盗難等による不正行使の恐れも少ないセキュリティ方式として、指紋情報や虹彩情報や静脈情報（血管パターン）といった個人の体の一部を鍵として用いる生体情報認証が注目されている。
【０００３】
生体情報を利用した従来の個人認証システムとしては、特開２０００−２１５１７２号公報（特許文献１）に示されたものがある。
【０００４】
この個人認証システムは、登録された使用者であることを特定できる個入情報を格納するＩＣカードと、使用者個人の認証を必要としブログラム制御により動作するコンピュータと、指紋／ＩＣカード読取機能付き入力装置と、表示機能を有しコンピュータのプログラム処理結果を出力または表示する出力装置とにより構成されている。
【０００５】
ＩＣカードには、暗証番号、指紋情報（生体情報）、コンピュータ起動用のパスワードなどの各種情報が格納されている。指紋／ＩＣカード読取機能付き入力装置は、暗証番号を入力する入力装置と、指紋情報を図形情報として入力する指紋読取装置と、ＩＣカードから暗証番号、指紋情報、パスワードなどを読み取るＩＣカードリーダとを備えている。
【０００６】
コンピュータには、使用者であることを特定できるパスワードが登録され、かつ、ＩＣカードリーダから出力される指紋情報、パスワードなどの情報と、指紋読取装置から出力される指紋情報及び該コンピュータに登録されているパスワードを照合する照合装置が内蔵されている。この照合装置により照合された結果は、出力装置４により出力または表示される。なお、前記ＩＣカードには、暗証番号により指紋情報とパスワードヘのアクセスを制御する保護手段、及び暗証番号入力装置より入力された暗証番号と該ＩＣカード１に格納された暗証番号とを照合する照合手段が備えられている。
【０００７】
【特許文献１】特開２０００−２１５１７２号公報
【発明の開示】
【発明が解決しようとする課題】
【０００８】
前記従来例によれば、指紋情報（生体情報）による認証を可能としているので、遺失や盗難などによる不正使用の恐れが少ないセキュリティ方式となっているものの、自動取引装置における取引操作を容易にすることについては配慮されていない。すなわち、自動取引装置を用いて取引を行うには、セキュリティの高い認証と共に、引出、振込、預入、および残高照会などの取引情報を入力する操作が必要であるが、前記従来例には取引情報の入力操作に関して開示されていない。従来一般的には、自動取引装置を用いて取引を行う際に、認証のための入力操作と取引情報の入力操作とを独立した操作として行うようになっているため、操作工程が多く、手間と時間を要するものとなっていた。特に、カードを使用して引出の操作しか行わない場合、使用頻度の高い取引情報を何度も同じ入力操作する場合、取引情報として取引内容や取引金額や振込詳細などの複数の入力操作する場合などに、利用者にとってその操作が面倒な印象を強く与えており、使い勝手の改善が望まれていた。
【０００９】
本発明の目的は、セキュリティの高い認証機能を保持しつつ、使い勝手の良好な自動取引装置を提供することにある。
【課題を解決するための手段】
【００１０】
前述の目的を達成するために、本発明の第１の態様は、カードに格納された情報の読み取りおよびカードへ情報の書き込みを行うカード部と、取引情報を入力する入力部と、生体情報を読み取る生体情報読取部と、前記カード部で読み取った情報、前記入力部より入力された取引情報、および前記生体情報読取部で読み取った生体情報に基づいて、生体情報認証処理および取引処理を行う制御部と、を備える自動取引装置であって、前記制御部は、前記生体情報読取部で読み取った生体情報を認証する手段と、前記カード部で読み取られた前記生体情報に関連付けられた取引情報と前記生体情報読取部で読み取った生体情報とに基づいて取引処理を行う手段とを備えるものである。
【００１１】
係る本発明におけるより好ましい具体的構成例は次の通りである。
（１）生体情報読取部は指静脈情報を読み取るものであり、前記制御部は前記生体情報読取部で読み取った指静脈情報に基づいて指静脈情報認証および取引処理を行うものであること。
（２）前記制御部は、前記認証された生体情報と前記入力部より入力された取引情報とを関連付けて前記カード部に出力する手段をさらに有すること。
（３）前記制御部は、前記生体情報読取部で読み取った複数の指静脈情報のそれぞれに、前記入力部より入力された複数の取引情報を関連付けて、前記カード部に出力する手段を備えること。
【００１２】
本発明の第２の態様は、カードに格納された情報の読み取りおよびカードへ情報の書き込みを行うカード部と、取引情報を入力する入力部と、生体情報を読み取る生体情報読取部と、前記カード部で読み取った情報、前記入力部より入力された取引情報、および前記生体情報読取部で読み取った生体情報に基づいて、生体情報認証処理および情報登録処理を行う制御部と、を備える情報登録端末であって、前記制御部は、前記生体情報読取部で読み取った生体情報を認証する手段と、前記認証された生体情報と前記入力部より入力された取引情報とを関連付けて前記カード部に出力し、前記生体情報と前記取引情報とを関連付けて登録する手段とを備えるものである。
【発明の効果】
【００１３】
本発明によれば、セキュリティの高い認証機能を保持しつつ、使い勝手の良好な自動取引装置を提供することができる。
【発明を実施するための最良の形態】
【００１４】
以下、図１から図８を参照して、本発明の一実施形態を説明する。本実施形態は、銀行システムなどの金融機関システムに採用される例えばＡＴＭ（Automatic Teller Machine）のような自動取引装置に関する。
【００１５】
先ず、図１を参照して、本実施形態に係る自動取引装置１の概略構造を説明する。図１は本発明の一実施形態に係る自動取引装置１の上部斜視図である。
【００１６】
図１において、符号１で総括的に示すのは、金融機関等のロビーなどに設置される自動取引装置である。本実施形態では、自動取引装置１としてＡＴＭの例で説明する。自動取引装置１は、直方体の前面上方の一部分が側面から見てＬ字形に切り欠かれた開口部を有する本体筐体１０と、Ｌ字形の開口部を塞ぐように配置され、側面から見てＬ字形に形成されたフロントパネル１１とから構成されている。
【００１７】
本体筐体１０は、前面が開口したベース筐体１２と、このベース筐体１２の前面下方に設けられた板状の前面扉１３と、ベース筐体１２の背面に配置された板状の背面扉１４とを有している。ベース筐体１２は、各種の取引処理を行う機構部、例えば、図２に示す、タッチパネル付表示部２２０、カード部２２１、通帳明細印字部２２２、伝送制御部２２３、記憶装置部２２４、硬貨入出金部２２５、紙幣入出金部２２６、電源部２２７、生体認証部２２８、制御部２２９等を内蔵している。タッチパネル付表示部２２０は情報の入力装置および出力装置としての機能を備えており、カード部２２１はＩＤカード２１２（図２、図３参照）の読取装置および出力装置としての機能を備えている。そして、タッチパネル付表示部２２０の操作表示部１５や各部の媒体口１８、１９、２３、２４や生体認証部２２８の生体情報読取部２２はフロントパネル１１から露出するように配置されている。
【００１８】
Ｌ字形のフロントパネル１１は、本体正面の垂直面を形成するパネル部１６と、水平面を構成するテーブル部１７とを備えている。本実施形態では、垂直面を構成する前記パネル部１６の中央にカード／明細票取扱口１８や通帳取扱口１９からなる媒体取扱部２０が配置され、水平面を構成するテーブル部１７の中央に操作表示部１５、その両側に非常時の連絡用のハンドセット２１と生体認証部２２８の生体情報読取部２２が配置され、水平面と垂直面の角部には紙幣挿入／排出口２３と硬貨挿入／排出口２４が並設されている。
【００１９】
次に、図２を参照して、この自動取引装置１が設置される金融機関システムの構成と自動取引装置１の構成を説明する。図２は図１の自動取引装置１を用いた金融機関システムのブロック構成図である。
【００２０】
この金融機関システムでは、この金融機関システムを統括するセンタ１００のサーバやホストなどの機器（コンピュータ）に対して、複数の営業店舗２００のサーバや端末やシステムなどの機器（コンピュータ）と専門センタ３５０のサーバや端末などの機器（コンピュータ）とがネットワーク３００で接続されている。前記営業店舗２００には店舗ネットワーク２１１を介して複数の機器（コンピュータ）が接続され、これら機器（コンピュータ）が前記ネットワーク３００を介して前記センタ１００や前記専門センタ３５０の機器（コンピュータ）と接続され、この金融機関システムを利用する顧客に対して各種の金融サービスを提供することができるようになっている。この他、この金融機関システムには前記ネットワーク３００を介して他の金融システムや各種のサービスサイトの機器（コンピュータ）に接続することができる。
【００２１】
前記センタ１００の各機器（コンピュータ）は、ＨＵＢサーバ１５０を介して他の営業店舗２００の機器（コンピュータ）や専門センタ３５０の機器（コンピュータ）と接続することで、金融機関内の全ての情報を統括管理している。このＨＵＢサーバ１５０は、ゲートウエイサーバを兼用するものであり、チャネル系ＡＰサーバ群を統括する統合チャネルサーバ１１０と、勘定系ホスト１４０と、各種の新商品情報を備えた新商品サーバ１３０と、全ての顧客情報を統括的に管理する顧客管理サーバ１２０などが接続される。
【００２２】
統合チャネルサーバ１１０は、前記ネットワーク３００を介して営業店舗２００の機器（コンピュータ）と接続されて、営業店舗２００の機器（コンピュータ）に各種の情報を提供する支援システムである。この統合チャネルサーバ１１０の統括下には、ＩＢコンテンツ情報を備えたＩＢサーバ１１１と、営業店のコンテンツ情報を備えた営業店ＡＰサーバ１１２と、来店顧客情報を備えた来店管理サーバ１１３と、商品のコンテンツ情報を備えた商品情報サーバ１１４と、行員情報を備えた行員管理サーバ１１５と、顧客情報デ一タを備えた顧客情報管理サーバ１１６とを備えている。
【００２３】
一方、営業店舗２００は、店舗ネットワーク２１１を介して各種装置が接続されて設けられている。例えば、このシステムでは、自動取引装置１、顧客の店舗の出入りを管理する受付端末２０８、顧客の各種の相談に対応する相談端末２０７、顧客に各種の情報を提供する情報テーブル端末２０６、行員が顧客に対して相談や商談を薦める相談テーブル端末２０５、行員が顧客に対して取引に関する各種サービスを行う窓口取引端末２０４、前記窓口取引端末２０４を支援する窓口後方取引端末２０３、各種の金融関連装置からなる金融デバイス２０２、店舗内の各種情報を管理する営業店サーバ２０１、店舗内の無線通信や位置検知を行う店舗通信システム２１０などが設けられている。
【００２４】
また、この金融機関システムでは、顧客が所有する携帯端末２１３や、この金融機関が顧客に提供するＩＤカード（個入認証用カード）２１２などを介して各種の情報を提供することができる。このＩＤカード２１２は、ＩＣカードで構成され、そのＩＣチップ内に顧客の個人情報（暗証番号（識別番号）、生体情報（本実施形態では、指静脈情報）、取引情報などの各種情報）が電気信号として記憶されて登録される。
【００２５】
前記自動取引装置１は、この自動取引装置１を統括して制御する制御部２２９と、情報入力部を兼ねたタッチパネル付表示部２２０と、各種のカードに対して読み取りや書き込みを行うカード部２２１と、通帳の書き込みを行う通帳明細印字部２２２と、店舗ネットワーク２１１に接続するための伝送制御部２２３と、各種の情報を記憶する記憶装置部２２４と、硬貨入出金部２２５と、紙幣入出金部２２６と、電源部２２７と、生体認証部２２８とを含んで構成される。
【００２６】
次に、図３を参照しながら、自動取引装置１のシステム構成の概略を説明する。図３は図１の自動取引装置１のシステム構成の一例を示す概略ブロック図である。
【００２７】
コンピュータ２２９は、ＣＰＵ２５９、メモリ２６０、および入出力インタフェース２５５〜２５８などを備えて構成されている。メモリ２６０は、図２に示す記憶装置部２２４を構成するものであり、後述する制御動作を行わせるためのプログラムを格納している。ＣＰＵ２５９は、図２に示す制御部２２９を構成するものであり、メモリ２６０に格納されたプログラムを用いて制御を実行する。
【００２８】
カード部２２１は入出力インタフェース２５７を介してコンピュータ２２９に接続されており、ＩＤカード２１２をカード部２２１に挿入することにより、ＩＤカード２１２に登録された顧客の個人情報などがカード部２２１で読み取られ、コンピュータ２２９の入出力インタフェース２５７を介してメモリ２６０に格納される。
【００２９】
また、光源２５１とカメラ２５２との間に、指２６１を挿入して、スイッチ２５３の押下に合わせて指静脈情報の画像信号を取得する。スイッチ２５３の押下の替わりに、図示しない指置き検知センサによる指置き検知により画像信号を取得するようにしてもよい。この指静脈情報は指血管パターンを図形情報として取得する。指静脈情報の代わりに、手のひら静脈情報や、その他の生体情報を用いることが可能な場合には、それらを用いてもよい。前述の光源２５１、カメラ２５２及びスイッチ２５３は図１に示す自動取引装置１の生体情報読取部２２を構成するものである。カメラ２５２の画像信号は、画像入力器２５４によってデジタル情報に変換され、コンピュータ２２９の入出力インタフェース２５５を介してメモリ２６０に格納される。
【００３０】
さらには、スイッチ２５３も同様に入出力インタフェース２５６を介して接続され、オン／オフの状態がメモリ２６０に格納されるか、もしくは、オンになると同時にＣＰＵ２５９に対して割り込み信号を発生する。
【００３１】
ＣＰＵ２５９は、スイッチ２５３の状態がオンになったのを確認するか、もしくはオンになった割り込み信号を検知すると、認証を行うソフトウェアプログラムを起動し実行する。そして、プログラムの処理結果に基づき、その結果を、タッチパネル付き表示部２２０に表示したり、カード部２２１に出力してＩＤカード２１２に書き込みしたり、制御対象２８０に適切な信号を送って扉を開閉したり、といった各種制御を行う。なお、タッチパネル付き表示部２２０は、上述したように情報入力部を兼ねており、例えば、暗証番号などの認証に関する、補助情報や取引情報などを入力するのに用いることができる。
【００３２】
なお、本実施形態では、生体認証部２２２を構成する生体情報読取部２２で指の静脈を読み取って認証に用いるものであるので、手のひらの静脈を読み取って認証に用いる場合に比較して、認証情報の容量が小さく、認証速度が速く、しかも、認証装置が小型で使い勝手がよいものである。
【００３３】
次に、図４を参照して、自動取引装置１の生体認証部２２２を構成する生体情報読取部２２の構造を説明する。図４は図１の自動取引装置１の生体情報読取部２２の説明図であり、生体情報読み取り部に指をかざした状態の平面図及び側面図である。使用者は、指をかざすことを促す操作ガイダンス等にしたがって、生体情報読み取り部のマーク２２ａ近傍に指先が位置するように指をかざす。図４は右手の人差指をかざした例である。かざした指の腹は指保持部２２ｂに支えられて、安定した状態で生体情報の読み取りが行われる。
【００３４】
次に、図５を参照しながら、窓口取引端末２０４のシステム構成の概略を説明する。図５は窓口取引端末２０４のシステム構成の一例を示す概略ブロック図である。この窓口取引端末２０４のシステム構成は多くの部分が前述した自動取引装置１のシステム構成と共通しているが、共通している部分も含めて以下に説明する。
【００３５】
コンピュータ２９０は、ＣＰＵ２７９、メモリ２８０、および入出力インタフェース２７５〜２７８などを備えて構成されている。メモリ２８０は、後述する制御動作を行わせるためのプログラムを格納している。ＣＰＵ２７９は、メモリ２６０に格納されたプログラムを用いて制御を司る。
【００３６】
キーボード２８４、カードリーダ／ライタ２８５及びマウス２８６は、入出力インタフェース２７７を介してコンピュータ２９０に接続され、キーボード２８４から入力された暗証番号などの認証に関する補助情報などや、カードリーダ／ライタ２８５から読み取られた個人情報などや、マウス２８６の操作で入力された取引情報などが入出力インタフェース２７７を介してメモリ２８０に格納される。
【００３７】
また、光源２７１とカメラ２７２との間に、指２８１を挿入して、スイッチ２７３の押下に合わせて指静脈情報の画像信号を取得する。スイッチ２５３の押下の替わりに、図示しない指置き検知センサによる指置き検知により、または、マウス２８６による操作に合わせて画像信号を取得するようにしてもよい。これらの光源２７１、カメラ２７２及びスイッチ２７３は窓口取引端末２０４の生体情報読取部を構成するものである。カメラ２７２の画像信号は、画像入力器２７４によってデジタル情報に変換され、コンピュータ（制御部〉２２９の入出力インタフェース２７５を介してメモリ２８０に格納される。
【００３８】
さらには、スイッチ２７３は入出力インタフェース２７６を介して接続され、オン／オフの状態がメモリ２８０に格納されるか、もしくは、オンになると同時にＣＰＵ２７９に対して割り込み信号を発生する。
【００３９】
ＣＰＵ２７９は、スイッチ２７３の状態がオンになったことを確認するか、もしくはオンになった割り込み信号を検知すると、認証を行うソフトウェアプログラムを起動し実行する。そして、プログラムの処理結果に基づき、その結果を表示部２８３に表示したり、カードリーダ／ライタ２８５に出力してＩＤカード２１２に書き込みをしたり、制御対象２８２に適切な信号を送って動作させたり、といった各種制御を行う。
【００４０】
次に、図６Ａから図６Ｌを参照しながら、窓口取引端末２０４を用いた指静脈情報の登録方法を説明する。図６Ａから図６Ｌは自動取引装置１の指静脈情報の登録方法における画面遷移図である。これらの図６Ａから図６Ｌの制御動作は図５に示すメモリ２８０に格納されたプログラムに基づいてＣＰＵ２７９より実行されるものである。なお、以下の説明では、ＩＤカード２１２が既に作成済みの場合について説明するが、ＩＤカード２１２が未作成の場合には、例えば、窓ロオペレータがその入力操作を代行することにより同様の処理を行うことができる。
【００４１】
窓口取引端末２０４が起動された状態で、ＩＤカード２１２がカードリーダ／ライタ２８５に挿入されると、表示部２８３に図６Ａに示すトップメニュー画面４０１を表示する。このトップメニュー画面４０１には、指静脈認証を行う際に選択する生体認証ボタンと、指静脈情報を登録する際に選択する生体情報登録ボタンと、指静脈情報を修正する際に選択する生体情報修正ボタンと、既に登録した指静脈情報を削除する際に選択する生体情報削除ボタンと、動作を終了する際に選択する終了ボタンとを表示する。なお、各画面に表示されるボタンは、マウス２８６で選択（クリック）することにより、当該ボタンに対応する所定の処理が行われるので、以下の説明では単に選択すると述べることとする。
【００４２】
窓ロオペレータが生体情報登録ボタンを選択すると、表示部２８３に図６Ｂに示す指選択画面４０２を表示する。この指選択画面４０２には、オペレータＩＤ欄、本人情報（個人情報）欄、登録指情報欄に区画され、各欄にこれらに関連する情報、入力エリアおよび表示エリアを表示する。
【００４３】
ここで、オペレータＩＤ欄には、指静脈情報の登録を行う金融機関の窓ロオペレータＩＤが表示される。この窓ロオペレータＩＤは、例えば、窓口取引端末２０４を操作するオペレータが、自分のＩＤとパスワードを入力してログオンすることにより、ログオンしたオペレータのＩＤが表示される。窓ロオペレータＩＤを明確にし、その履歴を登録しておくことにより、信頼性の高い認証システムとすることができる。
【００４４】
また、本人情報欄には、ＩＤカード２１２に格納された口座番号、および氏名が読み出されて表示されると共に、窓ロオペレータが確認した本人確認資料の情報が表示される。口座番号及び氏名は、窓口オペレータが本人を確認して入力してもよい。口座番号および氏名は、取引に直接係る情報であり、本人確認資料の情報はセキュリティを確保するための情報である。
【００４５】
また、登録指情報欄には、左側にその選択された画面における操作ガイダンスが表示され、右側に、入力に関する項目、入力エリアおよび出力エリアが表示されると共に、登録ボタン、キャンセルボタンが表示される。図６Ｂの指選択画面４０２は登録指情報がなく最初の指を登録する場合における表示である。
【００４６】
次いで、操作ガイダンス「登録する指を選び、登録ボタンを押してください。」に沿って、例えば、右手欄の人差指の前に位置する入力エリアを選択し、登録ボタンを選択すると、図６Ｃに示す画面のように、優先順位欄の該当出力エリアに「●」および「１」を表示する。この優先順位は登録する順番に付けられるので、使用頻度が高い順に登録することが好ましい。このようにして、指静脈情報を登録する指を簡単に特定することができる。なお、登録本数の出力エリアには、金融機関ごとにデフォルトで決めている登録本数が表示され、図示例では４本となっている。表示された登録本数まで指認証情報を持たせることができるが、その数を変更できるようにしておくことが好ましい。
【００４７】
次いで、操作ガイダンス「指ごとの取引を登録する場合は、プルダウンメニューから選択してください。」に沿って、取引欄の該当プルダウンメニューを開くと、図６Ｃに示すように、取引の具体的な種類が示されたプルダウンメニューを表示する。このプルダウンメニューの中から、例えば、引出を選択し、金額欄の入力エリアに３０，０００円を入力すると、図６Ｄに示す生体情報読取画面４０４を表示する。このように、取引内容をプルダウンメニューの中から選択できるようにしたので、容易に取引種類を入力することができる。
【００４８】
次いで、操作ガイダンス「右手の人差指をセットして、読取ボタンを押してください。」に沿って、図５で説明した指静脈情報の読取操作を行うと、図６Ｅに示す生体情報読取中画面４０５を表示する。この生体情報読中取画面４０５では、「読み取り中です。」とのガイダンスと共に、右側の読取欄の出力エリアに□マークが表示され、１回目の読み取り中であることがビジュアルに表示されるので、読み取り状態が容易に把握できて使い勝手の良いものとなっている。
【００４９】
再度、図５で説明した指静脈情報の読取操作を行うと、図６Ｆに示す生体情報読取画面４０６を表示する。この生体情報読取画面４０６では、左側に読み取りガイダンスが表示され、右側に、読取欄の出力エリアに■マークが２つ表示されて既に読取操作が２回行われたことがビジュアルに表示されると共に、その２つの■マークの次に□マークが表示されて３回目の読取操作が必要なことがビジュアルに表示されるので、読み取り状態が容易に把握でき且つ次の操作も容易に把握でき、使い勝手の良いものとなっている。
【００５０】
人差指静脈情報の読取操作を複数回（この実施形態では４回）実施して終了する。このように複数回の読取操作により指静脈情報を入手しているので、信頼性の高い指静脈情報の認証を行うことができる。
【００５１】
人差指静脈情報の読取操作が終了すると、生体認証テスト画面を表示する。この生体認証テスト画面に基づいて、図５で説明した指静脈情報の読取操作を行い、先の読取操作で入手した指静脈情報と比較する生体認証テストを複数回（この実施形態では４回）行う。２回目の生体認証テストが終了した時に表示される生体認証テスト画面４０７を図６Ｇに示す。この生体認証テスト画面４０７では、左側に認証テストガイダンスが表示され、右側に、テスト欄の出力エリアに■マークが２つ表示されて既にテスト操作が２回行われたことがビジュアルに表示されると共に、その２つの■マークの次に□マークが表示されて３回目のテスト操作が必要なことがビジュアルに表示されるので、テスト状態が容易に把握でき且つ次の操作も容易に把握でき、使い勝手の良いものとなっている。
【００５２】
人差指静脈情報のテスト操作を複数回（この実施形態では４回）実施して終了する。このように、読み取った指静脈情報のテストを行うので、信頼性の高い指静脈情報の認証を行うことができる。しかも、複数回のテスト操作により指静脈情報をテストしているので、信頼性がより一層高い指静脈情報の認証を行うことができる。
【００５３】
人差指静脈情報のテスト操作が終了し生体認証テストが全て合格になると、指選択画面を表示する。この指選択画面に基づいて、別の指における、図５で説明した指静脈情報の読取操作を行う。この実施形態では、読取操作の次の対象の指は中指であり、図６Ｂおよび図６Ｃで説明した操作を同様の操作で、取引種類として振込をプルダウンメニューから選択し、金額情報として８０，０００円を入力する。
【００５４】
中指における２回目の読取操作が終了した時に表示される生体情報読取画面４０８を図６Ｈに示す。この生体情報読取画面４０８では、左側に読み取りガイダンスが表示され、右側に、右手中指に対応する位置において、取引欄の出力エリアに振込が表示され、金額欄の出力エリアに８０，０００円が表示され、読取欄の出力エリアに■マークが２つ表示されて既に中指の読取操作が２回行われたことがビジュアルに表示されると共に、その２つの■マークの次に□マークが表示されて３回目の中指の読取操作が必要なことがビジュアルに表示される。これによって、読取状態が容易に把握でき且つ次の操作も容易に把握でき、使い勝手の良いものとなっている。
【００５５】
振込先を指定するには、例えば、生体情報読取画面４０８において、振込詳細ボタンを選択することにより行うことができる。振込詳細ボタンを選択すると、図６Ｉに示す振込情報入力画面４０９を表示する。この振込情報入力画面４０９では、対象指が右手中指と表示され、取引、取引金額、振込先口座番号および振込先名義人氏名の入力エリアが表示されるので、所定の入力を行ってＯＫボタンを選択することにより、振込先を指定することができる。なお、取引、取引金額を生体情報読取画面４０８で入力済みであるので、その内容が表示され、確認の上、変更があれば変更入力をする。この振込先のような多数の入力操作を必要とする取引情報を指静脈情報と関連付けて予め登録しておくことにより、以後の取引操作を格段に容易化することができる。
【００５６】
上述した取引内容の入力において、取引種類の入力は必須とし、取引金額および振込詳細の入力は任意としてある。これによって、取引金額および振込詳細の入力を希望しない使用者にとって便利である。
【００５７】
次いで、中指静脈情報の読取操作を４回（複数回）実施した後、中指静脈情報のテスト操作を４回（複数回）実施して中指静脈情報の認証を終了する。
【００５８】
さらに、左手の人差指および中指についても同様の指静脈の読取およびテストを行い、予め定められた登録本数の４本に達すると、図６Ｊに示すカード書込み画面４１０を表示する。本実施形態では、左手の人差指および中指については、指静脈情報の登録のみを行い、取引情報の登録を保留する場合であるので、優先順位の欄に「３」、「４」が表示され、取引、金額の欄には表示されない。このカード書込み画面４１０では、右手の人差指・中指と左手の人差指・中指の読取、テストをそれぞれ４回終了したことが■マークで表示されると共に、書込み欄にそれぞれ□マークが表示されて書き込みが可能になっていることを容易に確認できる。この段階までであれば、それぞれの指への取引の新たな登録や変更はいつでも行うことができる。
【００５９】
次いで、操作ガイダンス「生体情報と取引内容をカードに書き込みます。」に沿って、書き込みボタンを選択すると、指静脈情報と取引情報とを関連付けてカード部２２１に出力してＩＤカード２１２に書き込むと共に、図６Ｋに示す再認証画面４１１を表示する。本実施形態では、右手の人差指の静脈情報と取引種類「引出」、取引金額「３０，０００円」とが階層的に関連付けられているので、自動取引装置１で３０，０００円を引き出す際には、右手人差指の静脈認証する操作のみで、取引の指定と本人確認とを行うことができ、高いセキュリティを保ちながらも簡単な操作で迅速に３０，０００円を引き出すようにすることができる。また、右手の中指の静脈情報と取引種類「引出」、取引金額「８０，０００円」，および「振込詳細」とが関連付けられているので、自動取引装置１で定まった振込先に８０，０００円を振り込む際には、右手中指の静脈認証する操作のみで、取引の指定と本人確認を行い、８０，０００円を振り込むようにすることができる。
【００６０】
この再認証画面４１１では、右手の人差指・中指と左手の人差指・中指の書き込みを終了したことが■マークで表示されると共に、優先順位１である右手人差指の再認証の欄に□マークが表示されて再認証が可能になっていることを容易に確認できる。
【００６１】
上述したように、読取、テスト、書込、再認証の各欄が順番に並置され、終了マーク（■マーク）と次の操作マーク（□マーク）とで操作状態が表示されるので、使い勝手が良好である。
【００６２】
次いで、操作ガイダンス「右手の人差指をセットして再認証ボタンを押してください。」に沿って、図５で説明した指静脈情報の読取操作を右手人差指で行った後、再認証ボタンを選択することによって、右手人差指の再認証が行われる。このように、生体情報登録を行った後に再認証することによって、信頼性がより一層高い指静脈情報の認証を行うことができる。
【００６３】
次いで、優先順位２〜４である右手の中指、左手の人差指、中指の順に再認証を行うと、図６Ｌに示す登録完了画面４１２を表示する。この登録完了画面４１２では、右手の人差指・中指と左手の人差指・中指の再認証を終了したことがそれぞれ■マークで表示されるので、再認証が終了したことを容易に確認できる。
【００６４】
次いで、操作ガイダンス「登録が正常に終了しました。カードを抜いて、終了ボタンを押してください。」に沿って、ＩＤカード２１２をカードリーダ／ライタ２８５から抜くと共に、終了ボタンを選択することによって、指静脈認証の登録を終了する。
【００６５】
次に、図７Ａから図７Ｅと図８Ａから図８Ｑとを参照しながら、自動取引装置１を用いた指静脈情報による取引方法を説明する。図７Ａから図７Ｅは図１の自動取引装置１を用いた指静脈情報による取引方法を示す制御フローチャート図、図８Ａから図８Ｑは同取引方法におけるタッチパネル付表示部２２０に表示される表示画面の遷移図である。これらの取引方法における制御動作は図３に示すメモリ２６０に格納されたプログラムに基づいてＣＰＵ２５９より実行されるものである。なお、以下の説明では、図６Ａから図６Ｌを用いてＩＤカード２１２が既に作成済みの場合を例にして説明する。
【００６６】
図７Ａにおいて、自動取引装置１が起動されてプログラム制御が開始されると（ステップＳ０）、タッチパネル付表示部２２０に図８Ａに示すカード挿入画面５０１を表示する（ステップＳ１）。この状態で、ＩＤカード２１２が挿入されるのを待つためのカード挿入有無の判定が行われる（ステップＳ２）。図８における各表示画面は操作表示部１５（タッチパネル付表示部２２０）における表示画面である。
【００６７】
次いで、ＩＤカード２１２がカード／明細取扱口１８（カード部２２１）に挿入されると、図８Ｂに示す暗証番号入力画面５０２を表示する（ステップＳ３）。この状態で暗証番号が入力されると、この暗証番号が正しいかの判定が行われる（ステップＳ４）。この判定は、入力された暗証番号とＩＤカード２１２に格納された暗証番号とが合致したかにより行われる。
【００６８】
ステップＳ４の判定で、入力された暗証番号が正しくないと判定した場合には、間違えた回数が指定回数未満かを判定し（ステップＳ５）、指定回数未満の場合にはステップＳ３に戻り、暗証番号の再入力を待つ。ステップＳ５の判定で、指定回数になった場合には、カード返却画面（図示せず）が表示され、ＩＤカード２１２が返却されて処理が終了される（ステップＳ６）。
【００６９】
ステップＳ４の判定で、入力された暗証番号が正しいと判定した場合には、指に取引を登録しているかを判定する（ステップＳ７）。この判定は、挿入されたＩＤカード２１２に上述した指静脈認証に関連付けて取引情報が登録されているかを判定することにより行われる。
【００７０】
ステップＳ７の判定で、指に取引が登録されていないと判定した場合には、指が表示されていない図８Ｉに示す指無メニュー選択画面５０９を表示する（ステップＳ１９）。この指無メニュー選択画面５０９では、上部に操作ガイダンスが表示されると共に、中央部に指表示無のメニュー選択ボタンが表示される。この状態で、メニューボタンが選択されたかが判定され（ステップＳ２０）、メニューボタンが選択されるまでこの画面表示が継続される。そして、メニューボタンが選択されたと判定した場合には、ステップＳ３１に進む。
【００７１】
また、ステップＳ７の判定で、指に取引が登録されていると判定した場合には、既に登録されている指が表示された図８Ｃ（ｂ）に示す指付メニュー選択画面５０３ｂを表示する（ステップＳ８）。この指付メニュー選択画面５０３ｂでは、上部に操作ガイダンスが表示されると共に、中央部にメニュー選択ボタンが表示され、右側に指の置き方のイラストが表示されるので、次の操作を容易に行うことができる。このとき、指の静脈情報に関連付けて取引を登録している場合には、該当する取引のメニューボタン上に、登録している指を表示するようにしてもよい。この場合、たとえば、指つきメニュー選択画面５０３ｂのように、引き出し、振り込みの欄に指マークが表示される。このような表示をすることにより、登録された指と取引内容とが関連付けられて表示されるので、使用者にとってよりわかりやすい操作ガイダンスとすることができる。
【００７２】
この状態で、メニューボタンが選択されたかが判定される（ステップＳ９）。この判定で、メニューボタンが選択された場合には、ステップＳ３１に進む。
【００７３】
また、ステップＳ９の判定で、メニューボタンが選択されていない状態で、生体情報読取部２２に指がかざされたかを判定する（ステップＳ１０）。この判定で指がかざされていないと判定された場合には、ステップＳ８のメニュー選択画面５０３ｂの表示に戻り、メニューボタンが選択および指をかざすことの何れも行われるまで、ステップＳ８〜Ｓ１０を繰返す。
【００７４】
ステップＳ１０の判定で、指がかざされたと判定した場合には、認証中の画面（図示せず）を表示すると共に、取引登録された指であるかが判定される（ステップＳ１２）。この判定で、取引登録された指であると判定した場合には、ステップＳ２１（図７Ｂ参照）に進む。
【００７５】
ステップＳ１２の判定で、取引登録された指でないと判定した場合には、生体情報が登録された指であるか判定する（ステップＳ１３）。この判定で、生体情報が登録された指でないと判定した場合には、認証できなかったことを示す画面（図示せず）を表示し（ステップＳ１４）、指を離したか判定する（ステップＳ１５）。この判定で、指を離したと判定した場合には、その認証できなかった回数が指定回数未満か判定する（ステップＳ１６）。この判定で、指定回数未満と判定した場合には、ステップＳ８に戻り、指定回数に達したと判定した場合には、ステップＳ６に進み、カード返却画面を表示してＩＤカード２１２を返却して処理を終了する。
【００７６】
ステップＳ１３の判定で、生体情報が登録された指であると判定した場合には、この指には取引が登録されていないことを示す画面（図示せず）を表示し（ステップＳ１７）、指を離したかが判定され（ステップＳ１８）、指を離したと判定されるまでこの画面表示が継続される。そして、指を離したと判定した場合には、指が表示されていない図８Ｉに示す指無メニュー選択画面５０９を表示する（ステップＳ１９１）。この状態で、メニューボタンが選択されたかが判定され（ステップＳ１９２）、メニューボタンが選択されるまでこの画面表示が継続される。そして、メニューボタンが選択されたと判定した場合には、ステップＳ４１（図７Ｄ参照）に進む。
【００７７】
図７Ｂにおいて、図８Ｄに示す登録取引画面５０４が表示され（ステップＳ２１）、この状態で何れかのボタンが押されたかの判定をする（ステップＳ２２）。この判定で、何れかのボタン押されるまでは、ステップＳ２１に戻り、登録取引画面５０４の表示が継続される。そして、何れかのボタンが押された場合には、確認ボタンが押されたか（換言すれば取引内容を修正するか）が判定される（ステップＳ２３）。
【００７８】
このステップＳ２３の判定で、確認ボタンが押されたのではない場合（換言すれば、取引変更、金額変更ボタンが押された場合）には、修正画面（図示せず）を表示する（ステップＳ２３１）。この状態で、確認ボタンが押されたかを判定し（ステップＳ２３２）、確認ボタンが押されるまで、ステップＳ２３１、２３２を繰返す。ここで、確認ボタンが押されると、修正内容確認画面（図示せず）を表示する（ステップＳ２３３）。この状態で、修正内容確認画面における確認ボタンが押されたかを判定し（ステップＳ２３４）、確認ボタンが押されるまで、ステップＳ２３３、２３４を繰返す。ここで、確認ボタンが押されると、ステップＳ４３（図７Ｄ参照）に進む。
【００７９】
ステップＳ２３の判定で、確認ボタンが押された場合には、取引の処理動作が行われ、図８Ｅに示すカード明細受取画面（取引終了画面１）５０５が表示され（ステップＳ２４）、カードと明細票が受け取られたかが判定され（ステップＳ２５）、カードと明細票が受け取られたと判定されるまでこの画面表示が継続される。そして、カードと明細票が受け取られると、図８Ｆに示す現金放出画面（取引終了画面２）５０６が表示され（ステップＳ２６）、カードと明細票が受け取られたかが判定され（ステップＳ２７）、紙幣が受け取られたと判定されるまでこの画面表示が継続される。そして、紙幣が受け取られると、図８Ｇに示す最終取引終了画面（取引終了画面３）５０７が表示されて取引を終了する（ステップＳ２８）。
【００８０】
上述したように、本実施形態によれば、取引と関連付けて登録した指をかざす操作をするのみで、取引を行うことができる。従って、セキュリティの高い認証機能を保持しつつ、使い勝手の良好な自動取引装置を得ることができる。
【００８１】
図７Ｃにおいて、図示しない生体認証画面が表示され（ステップＳ３１）、この状態で指がかざされたか判定する（ステップＳ３２）。このステップＳ３４の判定で、指がかざされるまでは、ステップＳ３１に戻り、生体認証画面５０８の表示が継続される。そして、指がかざされた場合には、認証中画面（図示せず）が表示され（ステップＳ３３）、生体情報登録された指かが判定される（ステップＳ３４）。この判定で、生体情報登録された指であると判定した場合には、ステップＳ４１（図７Ｄ参照）へ進む。
【００８２】
前記ステップＳ３４の判定で、生体情報登録された指でない場合には、認証できなかったことを示す画面（図示せず）が表示され（ステップＳ３５）、指を離したかが判定され（ステップＳ３６）、指を離したと判定されるまでこの画面表示が継続される。そして、指を離したと判定した場合には、その認証できなかった回数が指定回数未満かが判定される（ステップＳ３７）。この判定で、指定回数未満と判定した場合には、ステップＳ３１に戻り、指定回数に達したと判定した場合には、ステップＳ６に進み、カード返却画面を表示してＩＤカード２１２を返却して処理を終了する。
【００８３】
図７Ｄにおいて、図８Ｊに示す現金入力画面（選択された取引画面）５１０を表示する（ステップＳ４１）。なお、上述した指無メニュー選択画面５０９で、引き出しボタン以外のボタンを選択すると、それぞれのボタンに対応する選択された取引画面を表示する。
【００８４】
前記現金入力画面５１０で、例えば「３」、「万」、「円」と入力すると、現金計数や通信等の待ち時間の必要な取引かが判定される（ステップＳ４３）。この判定で、現金計数や通信等の待ち時間の必要な取引であると判定した場合には、図８Ｋに示す現金計数画面（取引を登録するか画面１）５１１を表示する（ステップＳ４４）。この現金計数画面５１１では、現金計数中であることが表示され、今回の取引を指に登録する場合には登録ボタンを押すことを促す操作ガイダンスと共に登録ボタンが表示される。なお、ここでは、何も操作をせずに待ち時間が終了すると、登録は行われずに処理が終了するため、登録しないボタンは表示されない。
【００８５】
この状態で、待ち時間内かが判定され（ステップＳ４５）、待ち時間内でない場合、すなわち、タイムアウトの場合には、ステップＳ６８に進み、取引を終了する。ステップＳ６８は、カード返却、現金放出等の取引終了のための一連のステップを含むものである。
【００８６】
ステップＳ４５の判定で、待ち時間内である場合には、登録ボタンが押されたかが判定される（ステップＳ４６）。この判定で、登録ボタンが押されていない場合には、前記ステップＳ４４に戻り、登録ボタンが押された場合には、ステップＳ５１（図７Ｅ参照）に進む。
【００８７】
前記ステップＳ４３の判定で、現金計数や通信等の待ち時間の必要な取引でないと判定した場合には、図８Ｌに示す取引を登録するか画面５１２を表示する（ステップＳ４７）。この画面５１２では、操作ガイダンスと共に登録するボタンおよび登録しないボタンが表示される。
【００８８】
この状態で、何れかのボタンが押されたかが判定され（ステップＳ４８）、何れかのボタンが押されるまで現金計数画面５１２の表示が継続される。
【００８９】
ステップＳ４８の判定で、何れかのボタンが押されたと判定した場合には、登録するかの判定、換言すれば何れのボタンが押されたかが判定される（ステップＳ４９）。この判定で、登録しないボタンが押された場合には、前記ステップＳ６８に進み、取引を終了し、登録するボタンが押された場合には、ステップＳ５１に進む。
【００９０】
図７Ｅにおいて、図８Ｍに示す登録取引画面５１３を表示する（ステップＳ５１）。この登録取引画面５１３では、現金計数中の表示がされ、操作ガイダンスと共に、取引情報（図示例では、取引種類の「引き出し」と、取引金額の「３万円」）、その修正ボタン（図示例では、「指定しない」ボタン）、指認証状況を表すイラストが表示される。指認証状況を表すイラストでは、右手人差指に「引き出し」、右手中指に「振り込み」が表示されて、指認証が登録された指に取引情報が関連付けられて表示されると共に、さらに、左手人差指および左手中指に斜線が表示されて、指認証が登録された指であることと取引情報が登録されていないことが表示され、右手親指、右手薬指、右手小指、左手親指、左手薬指および左手小指に×印が示されてこれらの指には指認証ができないことが表示される。なお、図７ＤのステップＳ４７からステップＳ５１へ移行した場合には、「現金計数中」の表示がなく、他の表示は同様の画面が表示される。
【００９１】
この状態で修正ボタンが押されたか（換言すれば、指定しないボタンが押されたか）判定する（ステップＳ５２）。この判定で、修正ボタンが押されていないと判定した場合には、生体情報読取部２２に指がかざされたか判定し（ステップＳ５３）、かざされていないと判定した場合にはステップＳ５１に戻り、登録取引画面５１３の表示を継続すると共に、かざされたと判定した場合にはステップＳ５７に進む。
【００９２】
ステップＳ５２の判定で、修正ボタンが押されたと判定した場合には、図８Ｎに示す修正内容確認画面５１４を表示する（ステップＳ５４）。この修正内容確認画面５１４では、取引金額が「指定しない」に変更されたこと、元に戻すボタンが表示されている。この状態で、戻るボタンが押されたか判定し（ステップＳ５５）、戻るボタンが押されたと判定した場合には、ステップＳ５１に戻って登録取引画面５１３を表示する。
【００９３】
ステップＳ５５の判定で、戻るボタンが押されていないと判定した場合には、生体情報読取部２２に指がかざされたか判定し（ステップＳ５３）、かざされていないと判定した場合にはステップＳ５４に戻り、修正内容確認画面５１４の表示を継続すると共に、かざされたと判定した場合にはステップＳ５７に進む。
【００９４】
ステップＳ５７において、かざされた指が生体情報登録された指か判定する。この判定で、生体情報登録された指でないと判定した場合には、認証できなかったことを示す画面（図示せず）を表示する（ステップＳ５８）。この状態で、生体情報読取部２２にかざされた指を離したか判定し（ステップＳ５９）、指を離していないと判定した場合には、ステップＳ５８に戻り、認証できなかったことを示す画面の表示を継続する。
【００９５】
ステップＳ５９の判定で、指を離したと判定した場合には、その認証できなかった回数が指定回数未満か判定する（ステップＳ６０）。この判定で、指定回数未満と判定した場合には、ステップＳ５１に戻り、登録取引画面５１３を表示する。なお、ステップＳ５４の修正内容確認画面を経由してきた場合には、ステップＳ５１ではなく、ステップＳ５４にもどり、図８Ｎの修正内容確認画面５１４を表示する。ステップＳ６０で、指定回数に達したと判定した場合には、今回は登録しなかった画面（図示せず）を表示した後（ステップＳ６１）、ステップＳ６８に進む。
【００９６】
ステップＳ５７で、かざされた指が生体情報登録された指であると判定した場合には、他の取引が登録されているか判定する（ステップＳ６２）。この判定で、他の取引が登録されていると判定した場合には、図８Ｏに示す上書きするか画面５１５を表示する（ステップＳ６３）。この上書きするか画面５１５では、右手中指がかざされ且つ取引種類が「振り込み」であることを示すイラストを表示し、書き換えるボタンおよびキャンセルボタンを表示する。
【００９７】
この状態で何れかのボタンが押されたか判定する（ステップＳ６４）。この判定で、何れかのボタンが押されていないと判定した場合には、ステップＳ６４に戻り、上書きするか画面５１５の表示を継続すると共に、何れかのボタンが押されたと判定した場合には、上書きＯＫかを判定する（ステップＳ６５）。この上書きＯＫかの判定は、キャンセルボタンが押された場合に上書きＯＫではないと判定し、書き換えるボタンが押された場合に上書きＯＫであると判定する。上書きＯＫでないと判定した場合には、ステップＳ６８に進む。
【００９８】
ステップＳ６２で、他の取引が登録されていないと判定した場合、または、ステップＳ６５で、上書きＯＫであると判定した場合には、図８Ｐに示す取引登録完了画面５１６を表示し（ステップＳ６６）、指を離したかを判定する（ステップＳ６７）。この判定で、指を離していないと判定した場合には、ステップＳ６６に戻り、取引登録完了画面５１６の表示を継続する。指を離したと判定した場合には、ステップＳ６８に進み、カード返却等の取引終了ステップを経た後、最後に図８Ｑに示す取引終了画面５１７を表示して終了する。
【００９９】
上述したように、本実施形態によれば、制御部２２９が、生体情報読取部２２で読み取った生体情報を認証する手段と、認証された生体情報と入力部１５より入力された取引情報とを関連付けてカード部２２２に出力する手段と、カード部２２２で読み取られた生体情報に関連付けられた取引情報と生体情報読取部２２で読み取った生体情報とに基づいて取引処理を行う手段とを備えているので、セキュリティの高い認証機能を保持しつつ、使い勝手の良好な自動取引装置を提供することができる。
【０１００】
なお、上述した実施形態では、指の生体情報と取引内容とを関連付けて登録する操作を窓口取引端末及び自動取引装置の両方で実行可能な例につき説明したが、どちらか一方のみで登録可能とすることもできる。
【０１０１】
窓口取引端末のみで登録可能とする場合には、図７Ｄ及び図７Ｅに示したステップＳ４３以降のフローは不要であり、ステップＳ４１のあと、ステップＳ６８に移行して取引が終了する。窓口取引端末のみで登録可能とすれば、窓口オペレータが直接本人を確認することとなるので、本人確認の確実性が向上する。
【０１０２】
自動取引装置のみで登録可能とする場合には、窓口における登録内容が減少し、窓口の混雑を避けることができる。この場合にも、生体情報の登録は窓口において行うこととすれば、セキュリティの高い取引を提供することができる。
【図面の簡単な説明】
【０１０３】
【図１】本発明の一実施形態に係る自動取引装置の上部斜視図である。
【図２】図１の自動取引装置を用いた金融機関システムのブロック構成図である。
【図３】図１の自動取引装置のシステム構成の一例を示す概略ブロック図である。
【図４】図１の自動取引装置の生体情報読取部の説明図である。
【図５】図１の窓口取引端末のシステム構成の一例を示す概略ブロック図である。
【図６Ａ】図１の窓口取引端末の指静脈情報の登録方法における第１の画面遷移図である。
【図６Ｂ】同登録方法における第２の画面遷移図である。
【図６Ｃ】同登録方法における第３の画面遷移図である。
【図６Ｄ】同登録方法における第４の画面遷移図である。
【図６Ｅ】同登録方法における第５の画面遷移図である。
【図６Ｆ】同登録方法における第６の画面遷移図である。
【図６Ｇ】同登録方法における第７の画面遷移図である。
【図６Ｈ】同登録方法における第８の画面遷移図である。
【図６Ｉ】同登録方法における第９の画面遷移図である。
【図６Ｊ】同登録方法における第１０の画面遷移図である。
【図６Ｋ】同登録方法における第１１の画面遷移図である。
【図６Ｌ】同登録方法における第１２の画面遷移図である。
【図７Ａ】図１の自動取引装置１を用いた指静脈情報による取引方法を示す制御フローチャート図である。
【図７Ｂ】図７Ａの制御フローチャート図の続きである。
【図７Ｃ】図７Ｂの制御フローチャート図の続きである。
【図７Ｄ】図７Ｃの制御フローチャート図の続きである。
【図７Ｅ】図７Ｄの制御フローチャート図の続きである。
【図８Ａ】図１の自動取引装置１を用いた指静脈情報による取引方法における第１の画面遷移図である。
【図８Ｂ】同取引方法における第２の画面遷移図である。
【図８Ｃ】同取引方法における第３の画面遷移図である。
【図８Ｄ】同取引方法における第４の画面遷移図である。
【図８Ｅ】同取引方法における第５の画面遷移図である。
【図８Ｆ】同取引方法における第６の画面遷移図である。
【図８Ｇ】同取引方法における第７の画面遷移図である。
【図８Ｈ】同取引方法における第８の画面遷移図である。
【図８Ｉ】同取引方法における第９の画面遷移図である。
【図８Ｊ】同取引方法における第１０の画面遷移図である。
【図８Ｋ】同取引方法における第１１の画面遷移図である。
【図８Ｌ】同取引方法における第１２の画面遷移図である。
【図８Ｍ】同取引方法における第１３の画面遷移図である。
【図８Ｎ】同取引方法における第１４の画面遷移図である。
【図８Ｏ】同取引方法における第１５の画面遷移図である。
【図８Ｐ】同取引方法における第１６の画面遷移図である。
【図８Ｑ】同取引方法における第１７の画面遷移図である。
【符号の説明】
【０１０４】
１…ＡＴＭ、１０…本体筐体、１１…フロントパネル、１２…ベース筐体、１３…前面扉、１４…背面扉、１５…操作表示部、１６…パネル部、１７…テーブル部、１８…カード／明細票取扱口、１９…通帳取扱口、２０…媒体取扱部、２１…ハンドセット、２２…生体情報読取部、２３…紙幣挿入／排出口、２４…硬貨挿入／排出口、１００…センタ、１１０…統合チャネルサーバ、１１１…ＩＢサーバ、１１２…営業店ＡＰサーバ、１１３…来店管理サーバ、１１４…商品情報サーバ、１１５…行員管理サーバ、１１６…顧客情報管理サーバ、１２０…顧客管理サーバ、１３０…新商品サーバ、１４０…勘定系ホスト、１５０…ＨＵＢサーバ、２００…営業店舗、２１０…店舗通信システム、２０１…営業店サーバ、２０２…金融デバイス、２０３…後方ＰＣ端末、２０４…窓口取引端末、２０５…相談テーブル端末、２０６…情報テーブル端末、２０７…相談端末、２０８…受付端末、２１１…店舗ネットワーク、２１２…ＩＤカード、２１３…携帯端末、２２０…タッチパネル付表示部、２２１…カード部、２２２…通帳明細印字部、２２３…伝送制御部、２２４…記憶装置部、２２５…硬貨入出金部、２２６…紙幣入出金部、２２７…電源部、２２９…制御部、２５１…光源、２５２…カメラ、２５３…スイッチ、２５４…画像入力器、２５５…入出力インタフェース、２５６…入出力インタフェース、２５９…ＣＰＵ、２６０…メモリ、２６１…指、２６２…制御対象、２７１…光源、２７２…カメラ、２７３…スイッチ、２７４…画像入力器、２７５…入出力インタフェース、２７６…入出力インタフェース、２７９…ＣＰＵ、２８０…メモリ、２８１…指、２８２…制御対象、２８３…表示部、２８４…カードリーダ／ライタ、２８５…マウス、３００…ネットワーク、３５０…専門センタ、３６０…相談員管理サーバ、３７０…相談員端末。
【図１】
2007025826.tif 000003
【図２】
2007025826.tif 000004
【図３】
2007025826.tif 000005
【図４】
2007025826.tif 000006
【図５】
2007025826.tif 000007
【図６Ａ】
2007025826.tif 000008
【図６Ｂ】
2007025826.tif 000009
【図６Ｃ】
2007025826.tif 000010
【図６Ｄ】
2007025826.tif 000011
【図６Ｅ】
2007025826.tif 000012
【図６Ｆ】
2007025826.tif 000013
【図６Ｇ】
2007025826.tif 000014
【図６Ｈ】
2007025826.tif 000015
【図６Ｉ】
2007025826.tif 000016
【図６Ｊ】
2007025826.tif 000017
【図６Ｋ】
2007025826.tif 000018
【図６Ｌ】
2007025826.tif 000019
【図７Ａ】
2007025826.tif 000020
【図７Ｂ】
2007025826.tif 000021
【図７Ｃ】
2007025826.tif 000022
【図７Ｄ】
2007025826.tif 000023
【図７Ｅ】
2007025826.tif 000024
【図８Ａ】
2007025826.tif 000025
【図８Ｂ】
2007025826.tif 000026
【図８Ｃ】
2007025826.tif 000027
【図８Ｄ】
2007025826.tif 000028
【図８Ｅ】
2007025826.tif 000029
【図８Ｆ】
2007025826.tif 000030
【図８Ｇ】
2007025826.tif 000031
【図８Ｈ】
2007025826.tif 000032
【図８Ｉ】
2007025826.tif 000033
【図８Ｊ】
2007025826.tif 000034
【図８Ｋ】
2007025826.tif 000035
【図８Ｌ】
2007025826.tif 000036
【図８Ｍ】
2007025826.tif 000037
【図８Ｎ】
2007025826.tif 000038
【図８Ｏ】
2007025826.tif 000039
【図８Ｐ】
2007025826.tif 000040
【図８Ｑ】
2007025826.tif 000041